(57)【要約】【課題】廻縁の施工にあたって、作業者の負担を軽減できる浴室構造を提供する。【解決手段】隣り合う壁パネル１を連結する支柱３の上端部にキャップ９が取り付けられる。壁パネル１と天井パネル２の連結部分に室内側に開口する廻縁用凹所１９が形成される。キャップ９に廻縁用凹所１９に配置される廻縁用嵌込部２１が突出して形成される。廻縁用凹所１９に廻縁２０が配置される。廻縁２０が廻縁用嵌込部２１に嵌め込まれる。【選択図】図１
2013087601.tif 000002
【特許請求の範囲】
【請求項１】
隣り合う壁パネルを連結する支柱の上端部にキャップが取り付けられ、前記壁パネルと天井パネルの連結部分に室内側に開口する廻縁用凹所が形成され、前記キャップに前記廻縁用凹所に配置される廻縁用嵌込部が突出して形成され、前記廻縁用凹所に廻縁が配置されると共にこの廻縁が前記廻縁用嵌込部に嵌め込まれることを特徴とする浴室構造。
【請求項２】
前記支柱が平面視で直角に配置された壁パネル同士を連結するものであり、この支柱に前記キャップが取り付けられることを特徴とする請求項１に記載の浴室構造。
【発明の詳細な説明】
【技術分野】
【０００１】
本発明は、壁パネルと天井パネルの連結部分に廻縁が配置される浴室構造に関する。
【背景技術】
【０００２】
ユニットバスにおいて、壁パネルと天井パネルの連結部分に回縁を取り付ける従来例として特許文献１が知られている。この特許文献１では、廻縁取付け具がねじを用いて壁パネルに取り付けられ、この廻縁取付け具に廻縁が嵌め込まれて廻縁が固定される。
【先行技術文献】
【特許文献】
【０００３】
【特許文献１】特開２０１１−１１１７７６号公報
【発明の概要】
【発明が解決しようとする課題】
【０００４】
ところで、特許文献１にあっては、廻縁の施工にあたって、廻縁取付具をねじを用いて壁パネルに取り付ける必要があり、また、前記ねじを回す際には天井パネルが邪魔になる等、手間を要する。また、長尺な廻縁を設けるには、廻縁取付具を壁パネルに多数取り付ける必要があり、この点で作業者の負担は大きくなる。
【０００５】
本発明は上記事情に鑑みてなされたものであって、廻縁の施工にあたって、作業者の負担を軽減できる浴室構造を提供することを課題とする。
【課題を解決するための手段】
【０００６】
上記課題を解決するために本発明の浴室構造は、隣り合う壁パネルを連結する支柱の上端部にキャップが取り付けられ、前記壁パネルと天井パネルの連結部分に室内側に開口する廻縁用凹所が形成され、前記キャップに前記廻縁用凹所に配置される廻縁用嵌込部が突出して形成され、前記廻縁用凹所に廻縁が配置されると共にこの廻縁が前記廻縁用嵌込部に嵌め込まれることを特徴とする。
【０００７】
また、前記支柱が平面視で直角に配置された壁パネル同士を連結するものであり、この支柱に前記キャップが取り付けられることが好ましい。
【発明の効果】
【０００８】
本発明にあっては、廻縁の施工にあたって、作業者の負担を軽減できる。
【図面の簡単な説明】
【０００９】
【図１】本実施形態の壁パネルを支柱に取り付ける様子、及びキャップを支柱に取り付ける様子を示す斜視図である。
【図２】施工状態における壁パネル及びキャップを示す斜視図である。
【図３】壁パネルと天井パネルの連結部分の側断面図である。
【図４】壁パネルを支柱で連結した状態を示す水平断面図である。
【発明を実施するための形態】
【００１０】
以下、本発明を添付図面に基づいて説明する。本実施形態における浴室構造は、住宅やマンション等に設けられるユニットバスルームに適用したものである。このユニットバスルームは、床パン（不図示）、複数の壁パネル１（図２参照）、及び壁パネル１上に設けられる複数の天井パネル２（図３参照）を具備している。
【００１１】
隣り合う壁パネル１同士は、図４に示すように支柱３を介して連結され、この支柱３は床パンの外周縁部や、浴槽の外周縁部上に立てた状態で設けられる。支柱３は平面視矩形状の浴室のコーナー部に設けられ、この支柱３により平面視で直角に配置された二枚の壁パネル１の側端部同士が連結される。
【００１２】
支柱３はステンレスなどの金属製であって、水平断面が室内側に開口する溝形に形成されている。支柱３の室内側に開口する開口部の両側には、支柱３の溝幅方向の内側に向けて突出する係止部４が形成されている。各係止部４は、支柱３の側板部５の室内側端部を室外側に折り返して形成されている。
【００１３】
支柱３両側の壁パネル１は、金属製で縦長矩形状の表面板６を備えている。図４に示すように各壁パネル１の支柱３側の端部には、室外側に向かって突出する被係止部８が形成されている。各被係止部８は、表面板６の側縁部を室外側に向けて折り曲げ、この折り曲げ部分の先端部を壁パネル１の幅方向内側において室内側に折り返すことで形成されている。
【００１４】
各壁パネル１の被係止部８は、支柱３の内側に室内側から挿入されて対応する係止部４の室外側に係止される。これにより各壁パネル１は支柱３幅方向外側への移動及び室内外方向の移動が規制される。被係止部８を係止部４に係止するには、図１の矢印ａ１に示すように壁パネル１を室外側に押し込めばよい。なお、図示は省略するが、平面視で直線状に配置された二枚の壁パネルも支柱３と略同様の支柱を用いて連結される。
【００１５】
支柱３の上端部には、図２に示すようにキャップ９が取り付けられる。キャップ９は合成樹脂製であり、支柱３の溝幅方向を左右方向としたとき、図１に示すように左右対称形状に形成されている。キャップ９は、上面を構成する覆部１０と、覆部１０から下方に向けて突出する内嵌込部１１と、覆部１０から下方に向けて突出して内嵌込部１１の外側に位置する外嵌込部１２を有している。
【００１６】
キャップ９は、図４に示すように、内嵌込部１１が支柱３の上端部の内側に嵌め込まれ、外嵌込部１２が支柱３の上端部の外側に嵌め込まれ、これにより支柱３に固定される。内嵌込部１１及び外嵌込部１２を支柱３に嵌め込むには、図１の矢印ａ２に示すように支柱３の上側に配置したキャップ９を下方に移動すればよい。
【００１７】
このキャップ９は、図４に示すように内嵌込部１１が支柱３の内側に挿入された両被係止部８の室外側に位置し、被係止部８の水平方向の移動を規制する。また、図２のように、覆部１０は支柱３の上方に位置して当該支柱３の上端開口を覆う。さらに、覆部１０の下面が両側の壁パネル１の被係止部８の上方に位置し、この覆部１０により、支柱３両側の壁パネル１の上方への移動が規制される。
【００１８】
キャップ９の両側には、図１及び図２に示すように廻縁用嵌込部２１が一体に形成されている。廻縁用嵌込部２１は、覆部１０の両側端部の上端から対応する壁パネル１の幅方向と平行な外側方に向けて突出している。各廻縁用嵌込部２１は、図２に示すようにキャップ９を支柱３に取り付けた状態において、対応する壁パネル１の上縁片１７の上面に沿って配置される。なお、廻縁用嵌込部２１は、その下面が上縁片１７の上面に当接されるものであってもよいし、上縁片１７の上方に隙間を介して配置されるものであってもよい。
【００１９】
各廻縁用嵌込部２１の室内側端部には、上下方向に膨大した嵌合部２２が形成されている。嵌合部２２は廻縁用嵌込部２１の突出方向の全長に亘って形成されている。嵌合部２２は室内側程上下厚みが小さくなるように台形状に形成され、壁パネル１の上縁片１７の前端部上方に配置される。
【００２０】
キャップ９の覆部１０の室外側には、上方に突出する突出片部１３が形成されており、突出片部１３は両側に配置される壁パネル１の突片１８と突片１８の間に位置して、覆部１０の上方部が室外側に露出しないようにする。
【００２１】
図４に示すように、支柱３には、両側の壁パネル１の対向する被係止部８の間から縦に長い乾式の目地材１４が圧入される。これにより対向する被係止部８の間から支柱３内に浴室内の水が浸入することが防止される。また、目地材１４の弾性力により、両側の壁パネル１が離れる方向に付勢され、これにより両側の被係止部８が支柱３の係止部４から外れることが防止される。
【００２２】
天井パネル２は支柱３両側の壁パネル１に対して図３に示すように配置される。天井パネル２は浴室天井面を構成する金属製の表面板１５を備えており、表面板１５の外縁には下方に突出する垂片１６が形成されている。一方、支柱３両側の各壁パネル１の表面板６の上縁には、室外側に突出して壁パネル１の上端面を構成する上縁片１７が形成されており、上縁片１７の上面はキャップ９の覆部１０の上面と同レベルに位置している。上縁片１７の後縁には上方に突出する突片１８が形成されている。
【００２３】
天井パネル２は、垂片１６を突片１８の室外側の面に沿わせ、図示しないビスを室内側から突片１８に通して垂片１６にねじ込むことにより、支柱３両側の壁パネル１に取り付けられる。このように天井パネル２を各壁パネル１に取り付けることで、天井パネル２と各壁パネル１の連結部分には、図３に示すように壁パネル１の上縁片１７及び突片１８、並びに天井パネル２の表面板１５で構成される室内側に開口する廻縁用凹所１９が形成される。この廻縁用凹所１９の支柱３側の端部には、キャップ９の廻縁用嵌込部２１が配置される。
【００２４】
支柱３両側の壁パネル１の上方に形成された廻縁用凹所１９には、廻縁用凹所１９に沿って長尺な図３に示す廻縁２０が圧入される。なお、廻縁２０は、支柱３で連結された両壁パネル１に亘って連続して設けられるものであってもよいし、壁パネル１毎に設けられるものであってもよい。廻縁２０が両壁パネル１に亘って設けられるものである場合、廻縁２０において平面視矩形状の浴室のコーナー部分に位置する部分は、キャップ９の覆部１０の上方に配置されることとなる。
【００２５】
廻縁２０は、断面形状が室外側に開口する溝形に形成された廻縁本体２３を有している。廻縁本体２３の上面部の後端部には下方に突出する爪部２４が形成され、廻縁本体２３の下面部において爪部２４に対向する後端部には上方に突出する爪部２５が形成されている。
【００２６】
廻縁２０は、断面溝形の廻縁本体２３を廻縁用凹所１９に配置されたキャップ９の室内側に突出する嵌合部２２の外側に嵌め込むことで、廻縁用嵌込部２１に取り付けられる。このように廻縁２０を廻縁用嵌込部２１に取り付けた状態では、廻縁２０が室内側に抜け出ないように、両爪部２４、２５が嵌合部２２の室外側の面に係合される。なお、廻縁２０が両壁パネル１に亘って設けられるものである場合、廻縁本体２３はキャップ９両側の嵌合部２２に嵌め込まれることとなる。
【００２７】
廻縁本体２３の上下面にはヒレ片部２６が突出形成されている。ヒレ片部２６は天井パネル２の表面板１５や壁パネル１の上縁片１７に弾力的に接し、これによっても廻縁２０が室内側に抜け出ることが防止される。また、廻縁本体２３の下面において室内側の端部に形成された下方に突出するヒレ片部２６は、廻縁２０が廻縁用凹所１９の室外側に深く押し込まれることを防止するため、壁パネル１の表面板６に弾力的に接する。
【００２８】
以上説明した本実施形態の浴室構造は、キャップ９に廻縁用凹所１９に配置される廻縁用嵌込部２１が突出して形成され、廻縁用凹所１９に廻縁２０が配置されると共に廻縁２０が廻縁用嵌込部２１に嵌め込まれる。この構成により、支柱３の上端部に取り付けられるキャップ９を用いて廻縁２０を固定することができる。このため、廻縁２０の支柱３近傍部分においては、従来のように廻縁２０を嵌め込むための廻縁取付け具を壁パネル１に取り付ける必要がなく、廻縁２０の施工にあたって、作業者の負担を軽減できる。
【００２９】
また、本実施形態のキャップ９は、平面視で直角に配置された壁パネル１同士を連結する支柱３に取り付けられるものであり、浴室のコーナー部において廻縁取付け具を取り付ける必要がない。浴室のコーナー部において、平面視で直角に配置された壁パネル１とこの上方に配置された天井パネル２とで囲まれた狭い箇所においては、廻縁取付け具をねじで壁パネル１に取り付ける際、壁パネル１や天井パネル２が邪魔になる。しかし、本実施形態ではこの廻縁取付け具の施工を省略できるため、作業者の負担を軽減することができる。
【００３０】
なお、図示は省略するが、平面視で直線状に配置された二枚の壁パネルを連結する支柱の上端部にも同様のキャップ９を取り付けても構わない。また、廻縁２０が長い場合、廻縁２０の途中の部分等は従来と同様に壁パネル１に取り付けた廻縁取付け具に嵌め込んで固定しても構わない。また、本実施形態では廻縁用嵌込部２１をキャップ９の両側に形成したが、片側にのみ形成してもよい。
【符号の説明】
【００３１】
１  壁パネル
２  天井パネル
３  支柱
９  キャップ
１９  廻縁用凹所
２０  廻縁
２１  廻縁用嵌込部
【図１】
2013087601.tif 000003
【図２】
2013087601.tif 000004
【図３】
2013087601.tif 000005
【図４】
2013087601.tif 000006